(57)【要約】      （修正有）【課題】  給液装置より供給される電解液の流れを均一にし、かつ回転陰極ドラム表面に均等に供給できる金属箔電解製造装置を提供する。【解決手段】  金属箔を電着させる回転陰極ドラム１と、これに対向した陽極２と、電解液を供給する給液装置５を有する金属箔電解製造装置において、給液装置５は、回転陰極ドラム１の回転軸と平行に配置され、かつ上流側及び下流側にそれぞれスリット状の開口部を有する液供給口６を備えると共に、液供給口６は給液装置５の上端に構成され、幅方向に沿って同一の間隙で連続的に開口してなる。【選択図】図２
2008121033.tif 000002
【特許請求の範囲】
【請求項１】
金属箔を電着させる回転陰極ドラムと、該回転陰極ドラムに対向した円弧状曲面を持つ陽極と、回転陰極ドラムと陽極との間の液流通路に電解液を供給する給液装置を配し、電解液を供給しつつ回転陰極ドラム上に金属を電着させ、該回転陰極ドラムから連続的に金属箔をはがし取る金属箔電解製造装置において、
前記給液装置は、回転陰極ドラムの回転軸と平行に配置され、かつ回転方向に対して上流側及び下流側にそれぞれスリット状の開口部を有する液供給口を備えたことを特徴とする金属箔電解製造装置。
【請求項２】
前記液供給口は、前記給液装置の上端に構成された、給液装置の幅方向に沿って同一の間隙で連続的に開口したものであることを特徴とする請求項１記載の金属箔電解製造装置。
【請求項３】
前記液供給口は、その開口部の間隙を調節可能にしたことを特徴とする請求項１又は請求項２記載の金属箔電解製造装置。
【請求項４】
前記給液装置は、連続した２以上の室を有し、各室間には減圧機構を配し、電解液が給液装置の入口から順次減圧された後、液供給口から流出されることを特徴とする請求項１又は請求項２又は請求項３記載の金属箔電解製造装置。
【請求項５】
前記減圧機構は、スリット板により液流路を狭めたものであることを特徴とする請求項４記載の金属箔電解製造装置。
【請求項６】
前記減圧機構は、多孔質材料で構成したことを特徴とする請求項４記載の金属箔電解製造装置。
【請求項７】
前記減圧機構は、空隙を有する充填材で構成したことを特徴とする請求項４記載の金属箔電解製造装置。
【発明の詳細な説明】
【技術分野】
【０００１】
本発明は、金属箔を電着させる回転陰極ドラムと、この回転陰極ドラムに対向した陽極と、回転陰極ドラムと陽極との間に電解液を連続的に供給しつつ回転陰極ドラム上に金属を電着させる金属箔電解製造装置に関するものである。
【背景技術】
【０００２】
従来の金属箔電解製造装置は、供給される電解液の流れが均一になりにくく、均一な厚さの金属箔を得ることが難しいという問題点があった。この問題点を解決するために下記の特許文献に記載の発明が提案された。  
【特許文献１】特許第３１５０８１４号
【０００３】
前記特許文献１記載の発明は、回転陰極ドラムと陽極との間に電解液を連続的に供給する電解液供給装置の電解液供給口が、回転円筒陰極の回転軸方向と平行にスリット状に、回転円筒陰極の下から上記間隙に開口し、かつ電解液供給口には、金属箔を電着させる幅区間にわたって複数の電解液流量調節手段を備えたものである。
【発明の開示】
【発明が解決しようとする課題】
【０００４】
特許文献１記載の電解液供給口は、幅区間にわたって複数の電解液流量手段で流量を調節しているため、開口部より供給される電解液の流れが不均一であり、回転円筒陰極表面に均等に供給されないという問題点があった。また、複数の電解液流量調節手段は、構成が複雑なため実用的ではなかった。
【０００５】
本発明は、前記の問題点を解決するものであり、簡易な構成で、給液装置より供給される電解液の流れを均一にし、かつ回転陰極ドラム表面に均等に供給できる金属箔電解製造装置を提供することを目的とする。
【課題を解決するための手段】
【０００６】
本発明の要旨とするところは、金属箔を電着させる回転陰極ドラムと、該回転陰極ドラムに対向した円弧状曲面を持つ陽極と、回転陰極ドラムと陽極との間の液流通路に電解液を供給する給液装置を配し、電解液を供給しつつ回転陰極ドラム上に金属を電着させ、該回転陰極ドラムから連続的に金属箔をはがし取る金属箔電解製造装置において、前記給液装置は、回転陰極ドラムの回転軸と平行に配置され、かつ回転方向に対して上流側及び下流側にそれぞれスリット状の開口部を有する液供給口を備えたことにある。
【０００７】
また、本発明の要旨とするところは、前記液供給口は、前記給液装置の上端に構成された、給液装置の幅方向に沿って同一の間隙で連続的に開口したことにある。
【０００８】
また、本発明の要旨とするところは、前記液供給口は、その開口部の間隙を調節可能にしたことにある。
【０００９】
また、本発明の要旨とするところは、前記給液装置は、連続した２以上の室を有し、各室間には減圧機構を配し、電解液が給液装置の入口から順次減圧された後、液供給口から流出されることにある。
【００１０】
また、本発明の要旨とするところは、前記減圧機構は、スリット板により液流路を狭めたことにある。
【００１１】
また、本発明の要旨とするところは、前記減圧機構は、多孔質材料で構成したことにある。
【００１２】
また、本発明の要旨とするところは、前記減圧機構は、空隙を有する充填材で構成したことにある。
【発明の効果】
【００１３】
本発明は前記のような構成であるから、請求項１記載の発明によれば、給液装置は、液流通路の上流側及び下流側に２個のスリット状の開口部を有する液供給口を備えているため電解液は回転陰極ドラムの表面に沿って滑らかに、且つ均等に供給される。
これにより回転陰極ドラムの周面に形成される金属箔の厚さが均一になり、良質な金属箔を簡易な構成の装置で効率よく生産することができる。
【００１４】
請求項２記載の発明によれば、前記液供給口は、給液装置の幅方向に沿って同一の間隙で連続的に開口しているため、回転陰極ドラム周面の幅方向全域にわたって均等に供給されるのである。
【００１５】
請求項３記載の発明によれば、前記液供給口は、その開口部の間隙を調節可能にしたため、電解液の供給量を容易に調節することができると共に、それぞれの開口部からの液供給量のバランスを変えることができる。
【００１６】
請求項４記載の発明によれば、前記給液装置は、連続した２以上の室を有し、各室間には減圧機構を配したため、供給される電解液は液流入口から第１の室に流入する時に、その流速を吸収され、また減圧機構を通過する際に幅方向で均一圧力、均一流速となる。
【００１７】
請求項５記載の発明によれば、前記減圧機構をスリット板で形成し、これによって液流路を狭めることにより、電解液を均一圧力にすると共に減圧機構の全長にわたって流速を均一化して供給することができる。
【００１８】
請求項６記載の発明によれば、前記減圧機構を多孔質材料で構成したため、簡易な構成で電解液を均一圧力にすると共に減圧機構の全長にわたって流速を均一化して供給することができる。
【００１９】
また、請求項７記載の発明によれば、前記減圧機構を空隙を有する充填材で構成したため、簡易な構成で電解液を均一圧力にすると共に減圧機構の全長にわたって流速を均一化して供給することができる。
【発明を実施するための最良の形態】
【００２０】
本発明の最良の実施形態は、金属箔を電着させる回転陰極ドラムと、これに対向した円弧状曲面を持つ陽極と、回転陰極ドラムと陽極との間の液流通路に電解液を供給する給液装置を配した金属箔電解製造装置において、前記給液装置は、回転陰極ドラムの回転軸と平行に配置され、かつ回転方向に対して上流側及び下流側にそれぞれスリット状の開口部を有する液供給口を備えると共に、前記液供給口は、前記給液装置の上部に構成された、給液装置の幅方向に沿って同一の間隙で連続的に開口したものである金属箔電解製造装置である。
【００２１】
本発明の第１実施例を図に基づいて説明する。
図１は第１実施例の金属箔電解製造装置の概略断面側面図、図２は液供給装置の断面正面図、図３は図２のIII−III線断面拡大図、図４は液供給口の一部切欠斜視図である。
【００２２】
図１に基づいて金属箔電解製造装置Ａの概略を説明する。この装置は従来使用されているものと同様の構造であり、金属箔を電着させる回転陰極ドラム１と、回転陰極ドラム１の周面形状に沿って対向配置した陽極２とを備えている。そして回転陰極ドラム１の下端位置には、回転陰極ドラム１と陽極２の間に設けられた液流通路８に電解液を供給するための給液装置５が設けられている。
この給液装置５の内部から液流通路８に向けて電解液が供給され、この電解液は図１の矢印のように回転陰極ドラム１周面形状に沿って上昇し、電解槽１３にオーバーフローしていくのである。これによって回転陰極ドラム１周面に電析した金属箔１０は、ガイドロール１１を介して巻き取りロール１２に巻き取られる。
【００２３】
本実施例の給液装置５は、電解液タンク（図示せず）と連通している液流入口４の上端に構成され、上端は液流通路８内に配置されている。
前記給液装置５は、長尺の両側板５１，５１と天板５２とによって構成された筒状体であり、内部に２個の液室Ｒ１，Ｒ３を設けている。この給液装置５は、回転陰極ドラム１の幅と同一長さで、かつ回転陰極ドラム１の回転軸と平行に配置されている。
【００２４】
前記給液装置５の両側板５１，５１の上端と天板５２との間に間隙を形成し、電解液を液流通路８の上流側（図３の矢印Ｘ方向）と下流側（図３の矢印Ｙ方向）へ供給するための液供給口６，６を構成する。
この液供給口６は、２枚の側板５１，５１の上端に、全長にわたって連続的に設けられているため回転陰極ドラム１の幅と等しく、その形状は液室Ｒ３から液流通路８に向かって水平若しくは僅かに斜め上方に開口したスリット状である。
【００２５】
前記給液装置５の内部には減圧機構７を構成する。本実施例の減圧機構７は側板５１の全長にわたって、両側板５１，５１間の空隙の両端に狭隘部７１ａ，７１ａを有して取り付けた長尺の板材７１からなる。この板材７１によって、給液装置５内部は下側の液室Ｒ１と上側の液室Ｒ３に分割されている。
【００２６】
上記のように構成した金属箔電解製造装置の作用を説明する。
電解液は、下端の液流入口４より給液装置５内の下側の液室Ｒ１に流入するが、このとき電解液は板材７１に衝突することによってその流入速度は吸収される。その後、狭隘部７１ａ，７１ａから液室Ｒ３に流入していくが、狭隘部７１ａで絞られることによって均一な圧力、均一な流速になって上側の液室Ｒ３に送り込まれる。そして液流通路８へと流出していく時にスリット状の液供給口６で更に絞られ、より均一な圧力、より均一な流速となる。
流出した電解液は、前記液供給口６の開口部によって液流通路８の上流側Ｘと下流側Ｙに分かれて、回転陰極ドラム１の幅方向に均一に供給されていくのである。
【００２７】
図５は前記液供給口６の第２実施例を示す一部切欠正面図である。
本実施例では側板５１の上端部の両側端部に凹部６１を構成したものである。この凹部６１によって、液供給口６の間隙は両側端部で広くなるため電解液が多く流出する。そのためこの凹部６１近傍に位置する回転陰極ドラム１の両端付近には多量の電解液が供給されるため、他の部分に比べ箔が厚く形成されるのである。
これによって従来巻き取り時に両端部から箔が裂け易いという問題点が解消した。
【００２８】
図６は前記液供給口の第３実施例を示す一部切欠斜視図である。
本実施例では液供給口６の開口部の間隙を調節可能にしている。すなわち、２枚の側板５１の上端に沿って、それぞれ長尺の調節板５４を複数のネジ５９で固定した調節機構を構成している。この調節機構は、調節板５４の端部等の適宜個所に縦方向の長孔６０を穿設し、この長孔６０にネジ５９を螺合させ、この長孔６０の範囲内で調節板５４を上下動して位置決めするものである。これによって液供給口６の幅を自由に変更することが可能となる。
この調節機構の作用で、電解液の供給量を容易にかつ確実に調節することができると共に、それぞれの開口部からの液供給量のバランスを変えることが可能となる。
【００２９】
図７は前記減圧機構７の第２実施例を示す一部切欠斜視図である。この減圧機構７は、表面に多数のスリット７２ａを穿設したスリット板７２を２枚の側板５１，５１の全長にわたって両端を側板５１，５１に密着して取り付けたものである。
このスリット板７２によれば、電解液はスリット７２ａ，７２ａ，・・によって液流路を狭められて通過して下側の液室Ｒ１より上側の液室Ｒ３へと流出するため、電解液は均一な圧力、均一な流速となって上側の液室Ｒ３に送り込まれるのである。
また、図示はしないが、前記スリット板７２に代えて、遮蔽板、オリフィスなどを使用して減圧手段とすることもできる。
【００３０】
図８は前記減圧機構７の第３実施例を示す断面正面図である。この減圧機構７は、多孔質材料からなる板材７３を２枚の側板５１，５１の全長にわたって両端を側板５１，５１に密着して取り付けたものである。
この板材７３によれば、電解液は板材７３を通過して下側の液室Ｒ１より上側の液室Ｒ３へと流れていくときに、電解液は多数の孔を通過するため板材７３によって均一な圧力、均一な流速となって上側の液室Ｒ３に送り込むことができる。
【００３１】
図９は前記減圧機構７の第４実施例を示す断面正面図である。
この減圧機構７は、空隙を有する充填材料からなる板状部材７４を２枚の側板５１，５１の全長にわたって両端を側板５１，５１に密着して取り付けたものである。
この板材７４によれば、電解液は板状部材７４を通過して下側の液室Ｒ１より上側の液室Ｒ３へと流れていくときに、電解液は充填材料の多数の空隙を通過するため均一な圧力、均一な流速となって上側の液室Ｒ３に送り込むことができる。
【００３２】
図１０は前記減圧機構７の第５実施例を示す断面正面図である。この実施例では前記実施例１の板材７１を２枚平行して配置し、この２枚の板材７１によって給液装置５を３分割して、下側の液室Ｒ１、中側の液室Ｒ２、上側の液室Ｒ３を構成し、液室Ｒ３を液室Ｒ２より幅を狭くしている。
この減圧機構によれば前記実施例１の減圧機構に比べて、電解液は２枚の板材７１によってより効率よく均一な圧力、均一な流速にできるという効果がある。
【図面の簡単な説明】
【００３３】
【図１】第１実施例の金属箔電解製造装置の概略断面側面図
【図２】液供給装置の断面正面図
【図３】図２のIII−III線断面拡大図
【図４】液供給口の一部切欠斜視図
【図５】液供給口の第２実施例を示す一部切欠正面図
【図６】液供給口の第３実施例を示す一部切欠斜視図
【図７】減圧機構の第２実施例を示す一部切欠斜視図
【図８】減圧機構の第３実施例を示す断面正面図
【図９】減圧機構の第４実施例を示す断面正面図
【図１０】減圧機構の第５実施例を示す断面正面図
【符号の説明】
【００３４】
Ａ  金属箔電解製造装置
１  回転陰極ドラム
２  陽極
４  液流入口
５  給液装置
６  液供給口
７  減圧機構
８  液流通路
５１  側板
５２  天板
５４  調節板
５９  ネジ
６０  長孔
７２  スリット板
７２ａ  スリット
７３  板材
７４  板材
Ｒ１  下側の液室
Ｒ２  中側の液室
Ｒ３  上側の液室
Ｘ  上流側
Ｙ  下流側
【図１】
2008121033.tif 000003
【図２】
2008121033.tif 000004
【図３】
2008121033.tif 000005
【図４】
2008121033.tif 000006
【図５】
2008121033.tif 000007
【図６】
2008121033.tif 000008
【図７】
2008121033.tif 000009
【図８】
2008121033.tif 000010
【図９】
2008121033.tif 000011
【図１０】
2008121033.tif 000012